(57)【特許請求の範囲】
【請求項１】
机天板の後部上位に配設した棚板両側部に一対の伸縮アームの基端を水平回動可能に取付けるとともに、両伸縮アームの先端を横長の灯具の中央寄り位置に間隔を設けて水平回動可能に取付けてなることを特徴とする机上棚における照明装置。
【請求項２】
前記両伸縮アームが最も縮んだ状態で、前記灯具が棚板の下面下に格納されるように、前記両伸縮アームの基端と先端の枢着部位置及び枢着部間の間隔を設定してなる請求項１記載の机上棚における照明装置。
【請求項３】
前記両伸縮アームが最も伸びた状態で、前記灯具が棚板よりも前方へ突出して机天板の略中央部を照らすことが可能なように前記伸縮アームの伸縮長さを設定してなる請求項１又は２記載の机上棚における照明装置。
【発明の詳細な説明】
【０００１】
【発明の属する技術分野】
本発明は、机上棚における照明装置に係わり、更に詳しくは学習机等の机天板の後部に設けた机上棚に灯具をその位置が可変となるように設けた照明装置に関する。
【０００２】
【従来の技術】
従来、机上棚における照明装置は各種提供されており、通常の机上棚を有する学習机においては常備されているものであり、例えば机上棚の棚板下面に沿って前後方向にスライド移動可能に灯具を設けた構造が最も簡単で一般的である。
【０００３】
しかし、灯具が前後スライド移動可能なものは、そのスライド案内機構のストロークが棚板の奥行幅によって制限されるので、灯具全体が棚板よりも前方へ突出することはなく、そのため机天板の最も明るい位置が後部寄りであり、通常の筆記作業に使用する机天板の前部における照度が低いといった欠点があった。
【０００４】
また、右利きの使用者が筆記作業する場合には、向かって左側から照らすことが望ましく、また左利きでは右側から照らすことが望ましいが、前述の灯具が前後スライド移動する構造のものでは、そのような照明状態は実現できない。そのため、本出願人は先に実公昭６１−３０６０号公報にて開示される如く、灯具が回動可能な照明装置を提供している。
【０００５】
前述の公報記載の照明装置は、それぞれの基端部を棚板下面に所定間隔で回動自在に枢着した二本の直杆状回動アームを平面視略Ｘ字状交差配置となし、該回動アームの先端部を前記棚板下面前部に配した単一の横長照明灯に回動自在に枢着した構造のものであり、照明灯を左右何方の側からも回動引き出し可能となし、右利き、左利きに対応できるものである。しかし、照明灯の全体を前方へ移動させることは構造的に不可能であり、前記同様に机天板の前部の照度が低いといった欠点を有している。
【０００６】
【発明が解決しようとする課題】
そこで、本発明が前述の状況に鑑み、解決しようとするところは、灯具を使用しないときには机上棚の棚板下面下に格納でき、また灯具を使用するときに棚板よりも前方へ引き出して机天板の前部の照度を高める得るとともに、右利き及び左利きにも対応できるように灯具の引き出し角度を自由に無段階に変更することができる机上棚における照明装置を提供する点にある。
【０００７】
【課題を解決するための手段】
本発明は、前述の課題解決のために、机天板の後部上位に配設した棚板両側部に一対の伸縮アームの基端を水平回動可能に取付けるとともに、両伸縮アームの先端を横長の灯具の中央寄り位置に間隔を設けて水平回動可能に取付けてなる机上棚における照明装置を構成した。
【０００８】
ここで、前記両伸縮アームが最も縮んだ状態で、前記灯具が棚板の下面下に格納されるように、前記両伸縮アームの基端と先端の枢着部位置及び枢着部間の間隔を設定してなること、前記両伸縮アームが最も伸びた状態で、前記灯具が棚板よりも前方へ突出して机天板の略中央部を照らすことが可能なように前記伸縮アームの伸縮長さを設定してなることが好ましい。
【０００９】
【発明の実施の形態】
次に添付図面に示した実施形態に基づき更に本発明の詳細を説明する。図１は本発明の照明装置を適用した代表的な実施形態を示し、図２〜図７は照明装置の詳細を示し、図中１は学習机、２は机上棚、３は照明装置、４はワゴンデスクをそれぞれ示している。
【００１０】
本実施形態において、学習机１の背面に机上棚２の下部を着脱自在に取付けるとともに、机上棚２に取付けた照明装置３を学習机１の天板５の後部上位に配設している。また、前記学習机１の天板５の下方には移動可能なワゴンデスク４を配置可能としている。
【００１１】
前記机上棚２は、学習机１の背面に下部を着脱自在に取付けて天板５の後端から上方へ立ち上がったパネル６と、該パネル６の前面上部に上下に取付位置を変更可能に取付けた棚体７とからなる。そして、前記棚体７は、前記パネル６に取付ける両側の側板８，８の下端間に渡設した棚板９を有し、該棚板９の前縁には仕切板１０を嵌着できるようになっている。
【００１２】
そして、前記照明装置３は、机天板５の後部上位に配設した棚板９両側部に一対の伸縮アーム１１，１１の基端を水平回動可能に取付けるとともに、両伸縮アーム１１，１１の先端を横長の灯具１２の中央寄り位置に間隔を設けて水平回動可能に取付けたものである。更に、図５に示すように、前記両伸縮アーム１１，１１が最も縮んだ状態で、前記灯具１２が棚板９の下面下に格納されるように、前記両伸縮アーム１１，１１の基端と先端の枢着部位置及び枢着部間の間隔を設定し、前記両伸縮アーム１１，１１が最も伸びた状態で、前記灯具１２が棚板９よりも前方へ突出して机天板５の略中央部を照らすことが可能なように前記伸縮アーム１１の伸縮長さを設定している。
【００１３】
更に詳しくは、前記伸縮アーム１１は、中空パイプ状の外筒１３に杆体１４を単又は複数のスライダー１５を介在させて前記外筒１３に対して杆体１４をスライド可能に内挿した構造のものである。そして、前記外筒１３の基端には垂直に軸筒１６を固着し、前記棚板９の下面に固定した取付板１７に垂設した支軸１８に前記軸筒１６を回動可能に挿入し且つ該支軸１８の先端にストップリング１９を嵌着し、伸縮アーム１１を棚板９に対して水平回動可能に取付けている。この枢着構造は、前記伸縮アーム１１に加わる上下方向の曲げ応力に対して強度が非常に高いので好ましい。また、前記杆体１４の先端にはＬ金具２０が固着されており、該Ｌ金具２０の水平片２０Ａを前記灯具１２のカバー２１の後方延長部２１Ａの下面に水平回動可能に取付けている。ここで、前記杆体１４の先端を灯具１２に水平回動可能に取付けるには、前記Ｌ金具２０の水平片２０Ａの円孔２０Ｂに回動可能にスペーサ２２を挿入し、該スペーサ２２を貫通させたネジ２３をカバー２１の後方延長部２１Ａの下面に固着したナット（図示せず）に螺着している。
【００１４】
しかし、本発明において、前記伸縮アーム１１の伸縮構造及び棚板９、灯具１２への枢着構造は限定されるものではなく、公知の各種の構造を採用できる。例えば、前記伸縮アーム１１として、ガスシリンダーやパンタグラフ様の関節を有するものも採用できる。
【００１５】
また、前記灯具１２は、横長のものであり、前記机上棚２の横幅よりも多少短い寸法に設定され、棚板９の下面下に格納した状態では、その両側端と両側板８，８間に若干の余裕の空間が形成される程度に設定され、前記両伸縮アーム１１，１１の伸縮による位置変化の自由度を高めている。また、前記灯具１２は、カバー２１の内部に蛍光灯２４が配設され、該カバー２１の上部後端には前記後方延長部２１Ａが設けられている。
【００１６】
次に、本発明に係る照明装置３の使用態様を図５〜図７に基づいて説明する。先ず、図５に示すように、前記両伸縮アーム１１，１１が最も縮んだときには灯具１２の略全体が前記棚板９の下面下に格納された状態（実線、点線）となり、両伸縮アーム１１，１１ともに最も伸びたときには、灯具１２の全体が棚板９の前端よりも十分に前方へ突出した状態（二点鎖線）となり、該灯具１２が天板５の略中央部に位置し、天板５の前部の照度を高めることができる。
【００１７】
また、図６に示すように、一方の伸縮アーム１１が最も縮み且つ他方の伸縮アーム１１が最も伸びたときであって、伸びた方の伸縮アーム１１に沿って灯具１２の長手方向を配向すれば、灯具１２が棚板９に対して傾斜してその一端部が前方へ大きく突出した状態（実線又は二点鎖線）となり、天板５の前部で筆記作業する場合に、右利き又は左利きの使用者の手影が筆記作業位置に生じないようにすることができる。
【００１８】
そして、図７に示すように、一方の伸縮アーム１１が最も縮み且つ他方の伸縮アーム１１が最も伸びたときであって、灯具１２を棚板９と平行に配向すれば、灯具１２が棚板９に接近して沿うとともに、天板５の一側に寄った状態（実線又は二点鎖線）となり、学習机１の一側に前記ワゴンデスク４を配置した場合に、該灯具１２によってワゴンデスク４の上面をも有効に照らすことができる。
【００１９】
更に、図示しないが、前記両伸縮アーム１１，１１の伸縮度合い及び灯具１２の棚板９に対する角度を変えることによって、前記灯具１２を無段階で自由に配向させることができる。
【００２０】
最後に、前記机上棚２の構造及び机上棚２を学習机１に取付ける構造を簡単に説明する。図２及び図４に示すように、前記机上棚２のパネル６の上部であって、両側端縁に沿って上下に一定間隔で三カ所に係止孔２５，…を形成し、前記棚体７を構成する両側板８，８の後端に取付けた取付金具２６の上下部に、近接した一対の前記係止孔２５，２５に嵌合係止するフック２７，２７を突設し、前記係止孔２５，２５の対を選択することによって、パネル６に対する棚体７の取付高さを二段階に調節可能としている。
【００２１】
また、机上棚２を学習机１に着脱自在に取付ける構造は、図８〜図１０に示すように、両脚板２８，２８の後端間に設けた幕板２９の背面であって、上下中間部に所定の間隔を隔てて上向き開放した断面コ字形の支持部材３０Ａ，３０Ｂを横設するとともに、前記幕板２９の両側縁に後方へ折曲形成した取付縁２９Ａと脚板２８の内面後縁との接合部分であって、上部に所定の間隔を隔てて開口３１Ａ，３１Ｂを設け、前記パネル６の下縁に前方へ突設した突縁３２を前記支持部材３０Ａ又は３０Ｂに落し込み係合するとともに、パネル６の前面側であって下部両側に外向き弾性付勢して設けたラッチ３３を前記開口３１Ａ又は３１Ｂに係合させて取付けるものである。
【００２２】
前記ラッチ３３は、パネル６に取付ける本体３３Ａの内部に圧縮コイルばね３３Ｂを介在させて爪体３３Ｃをスライド可能に挿入するとともに、前記本体３３Ａの側面を貫通させた把手３３Ｄを前記爪体３３Ｃに固定し、該把手３３Ｄはパネル６を貫通して背面に露出し、爪体３３Ｃを前記開口３１から外す場合に前記把手３３Ｄを持って横方向に爪体３３Ｃを移動させて本体３３Ａに引き込むことができるようになっている。
【００２３】
また、図１及び図２において、符号３４として示したものは電源プラグを接続できる差込口を設けたコンセントボックスであり、該コンセントボックス３４に設けた係合部３４Ａを利用して、前記パネル６の側縁や天板５の縁部の任意の位置に嵌着できるようになっている。
【００２４】
【発明の効果】
以上にしてなる本発明の机上棚における照明装置によれば、灯具を使用しないときには机上棚の棚板下面下に格納でき、また灯具を使用するときに棚板よりも前方へ引き出し、筆記作業位置である机天板の前部の照度を高めることができるとともに、右利き及び左利きにも対応できるように灯具の引き出し角度を自由に無段階に変更することができるのである。更に、灯具を棚板と平行に配向すれば、灯具が棚板に接近して沿い且つ天板の一側に寄った状態となるので、机の一側にワゴンデスクを配置した場合には、該ワゴンデスクの上面を効果的に照らすことができるのである。
【図面の簡単な説明】
【図１】本発明に係る照明装置を適用した机上棚付き学習机の全体斜視図である。
【図２】机上棚と照明装置の分解斜視図である。
【図３】本発明の照明装置の要部を示す分解斜視図である。
【図４】同じく組立状態の部分縦断側面図である。
【図５】照明装置の灯具と棚板及び天板との位置関係を示す簡略平面図である。
【図６】同じく灯具を傾斜状態で引き出した状態を示す簡略平面図である。
【図７】同じく灯具を棚板に対して最も側方へ平行移動した状態示す簡略平面図である。
【図８】学習机の背面の一部を示す部分斜視図である。
【図９】学習机の背面に机上棚のパネルを取付ける構造を示す部分簡略断面図である。
【図１０】同じくパネルの下部の一部を示す分解斜視図である。
【符号の説明】
１  学習机                ２  机上棚
３  照明装置              ４  ワゴンデスク
５  天板                  ６  パネル
７  棚体                  ８  側板
９  棚板                  １０  仕切板
１１  伸縮アーム          １２  灯具
１３  外筒                １４  杆体
１５  スライダー          １６  軸筒
１７  取付板              １８  支軸
１９  ストップリング      ２０  Ｌ金具
２０Ａ  水平片            ２０Ｂ  円孔
２１  カバー              ２１Ａ  後方延長部
２２  スペーサ            ２３  ネジ
２４  蛍光灯              ２５  係止孔
２６  取付金具            ２７  フック
２８  脚板                ２９  幕板
２９Ａ  取付縁
３０，３０Ａ，３０Ｂ  支持部材
３１，３１Ａ，３１Ｂ  開口
３２  突縁                ３３  ラッチ
３３Ａ  本体              ３３Ｂ  圧縮コイルばね
３３Ｃ  爪体              ３３Ｄ  把手
３４  コンセントボックス
【図１】
0003743069.tif 000002
【図２】
0003743069.tif 000003
【図３】
0003743069.tif 000004
【図４】
0003743069.tif 000005
【図５】
0003743069.tif 000006
【図６】
0003743069.tif 000007
【図７】
0003743069.tif 000008
【図８】
0003743069.tif 000009
【図９】
0003743069.tif 000010
【図１０】
0003743069.tif 000011